(57)【要約】カテーテルアダプタおよびカテーテルアダプタを含んでいる血管アクセス装置が開示されている。カテーテルアダプタの先端開口部（３４）は、キンクおよび閉塞を防止するためにカテーテルの撓曲部分を支持するべく、上側部分ではなく下側部分にテーパ領域を画成する内部湾曲部を有している。
2018531761.tif 000002
【特許請求の範囲】
【請求項１】
撓曲部分を含んでいるカテーテル、および
遠位端部、近位端部、遠位端部から近位端部に延在する全長、内部空洞、上側部分、下側部分、および前記カテーテルが貫通して延在する周囲を有する、カテーテルアダプタの先端開口部を有する遠位先端部を有するカテーテルアダプタを備え、
前記全長は、前記上側部分および前記下側部分において実質的に等しく、且つ、前記カテーテルアダプタの先端開口部は、前記下側部分にテーパ領域を画定する内部湾曲部を有し、
前記テーパ領域は、前記カテーテルを通る流れを制限することなく前記カテーテルの挿入角度を提供するべく前記カテーテルの前記撓曲部分を支持し、
前記テーパ領域は、前記全長よりも短いことを特徴とする血管アクセス装置。
【請求項２】
前記カテーテルアダプタの先端開口部の前記下側部分の前記内部湾曲部は、面取り部を画定することを特徴とする請求項１に記載の血管アクセス装置。
【請求項３】
前記カテーテルアダプタの先端開口部の前記下側部分の前記内部湾曲部は、丸味を帯びていることを特徴とする請求項１に記載の血管アクセス装置。
【請求項４】
前記カテーテルアダプタの先端開口部の前記下側部分の前記内部湾曲部は、トランペット形状であることを特徴とする請求項１に記載の血管アクセス装置。
【請求項５】
前記カテーテルアダプタの先端開口部の前記下側部分は、前記遠位先端部から遠ざかるにつれて徐々に減少する前記遠位先端部における半径を画定することを特徴とする請求項１に記載の血管アクセス装置。
【請求項６】
前記血管アクセス装置は、中心静脈カテーテル、末梢に挿入される中心カテーテル、末梢静脈カニューレ、動脈カテーテル、および中間線カテーテルを含む群から選択されることを特徴とする請求項１に記載の血管アクセス装置。
【請求項７】
前記カテーテルアダプタの先端開口部の前記上側部分は、前記遠位先端部から延びる内部湾曲部を含まないことを特徴とする請求項１に記載の血管アクセス装置。
【請求項８】
前記カテーテルの一部分は、前記カテーテルアダプタの前記内部空洞内に収容されることを特徴とする請求項１に記載の血管アクセス装置。
【請求項９】
前記カテーテルは、前記カテーテルアダプタに固定して取り付けられていることを特徴とする請求項１に記載の血管アクセス装置。
【請求項１０】
前記挿入角度は、約１°ないし約６０°の範囲内であることを特徴とする請求項１に記載の血管アクセス装置。
【請求項１１】
前記挿入角度は、約１５ないし４５°であることを特徴とする請求項１０に記載の血管アクセス装置。
【請求項１２】
前記上側部分の半径は、前記下側部分の半径に対して非対称であることを特徴とする請求項１に記載の血管アクセス装置。
【請求項１３】
前記カテーテルアダプタの上側部分は、前記カテーテルに対して接線方向に向けられていることを特徴とする請求項１に記載の血管アクセス装置。
【請求項１４】
前記アダプタの前記下側部分の内部湾曲部は、カテーテルアダプタの先端開口部の周囲の一部分にわたって延在し、９０°ないし３６０°の範囲の角度を形成する円弧を画定することを特徴とする請求項１に記載の血管アクセス装置。
【請求項１５】
前記角度が、１８０°ないし３６０°の範囲であることを特徴とする請求項１４に記載の血管アクセス装置。
【請求項１６】
前記内部空洞内に導入ニードルをさらに備え、前記ニードルは、遠位端部と、近位端部と、前記導入ニードルの前記近位端部に接続されたニードルハブとを有することを特徴とする請求項１に記載の血管アクセス装置。
【請求項１７】
前記カテーテルアダプタから延び、前記カテーテルアダプタの前記内部空洞と流体連通する延長チューブを、さらに備えることを特徴とする請求項１６に記載の血管アクセス装置。
【請求項１８】
ルアーアクセス、血液制御隔壁、換気体および導入ニードルのノッチの少なくとも１つを、さらに備えることを特徴とする請求項１７に記載の血管アクセス装置。
【請求項１９】
前記カテーテルアダプタから半径方向外向きに延びるウィング要素を、さらに備えることを特徴とする請求項１に記載の血管アクセス装置。
【請求項２０】
前記ウィング要素は、前記カテーテルアダプタの一方の側から延びる第１のウィング部材を備えることを特徴とする請求項１９に記載の血管アクセス装置。
【請求項２１】
前記ウィング要素は、前記カテーテルアダプタの前記一方の側と反対側に延びる第２のウィング部材を備えることを特徴とする請求項２０に記載の血管アクセス装置。
【請求項２２】
前記カテーテルアダプタの少なくとも一部分は、第１の材料から作られ、そして前記遠位先端部の少なくとも一部分は、前記第１の材料よりもより可撓性である第２の材料から作られていることを特徴とする請求項１に記載の血管アクセス装置。
【請求項２３】
前記カテーテルアダプタの少なくとも大部分が第１の材料から作られ、そして前記遠位先端部の少なくとも一部分が前記第１の材料よりもより可撓性である第２の材料から作られていることを特徴とする請求項２２に記載の血管アクセス装置。
【請求項２４】
前記遠位先端部は、前記カテーテルのための支持部を提供するべく、前記カテーテルアダプタの先端開口部から延在する可撓性でキンク耐性の延長部を含んでいることを特徴とする請求項１に記載の血管アクセス装置。
【請求項２５】
前記カテーテルアダプタから半径方向外方に延びるウィング要素をさらに備えることを特徴とする請求項２３に記載の血管アクセス装置。
【請求項２６】
前記ウィング要素は、前記カテーテルアダプタの一方の側から延びる第１のウィング部材を備えることを特徴とする請求項２４に記載の血管アクセス装置。
【請求項２７】
前記ウィング要素は、前記カテーテルアダプタの前記一方の側と反対側に延びる第２のウィング部材を備えることを特徴とする請求項２５に記載の血管アクセス装置。
【請求項２８】
前記カテーテルは、ポリウレタンから作られていることを特徴とする請求項１に記載の血管アクセス装置。
【請求項２９】
前記テーパ領域は、前記カテーテルに対して円錐形の逃げを提供することを特徴とする請求項１７に記載の血管アクセス装置。
【請求項３０】
前記ニードルは、前記遠位先端部に斜面をさらに含み、前記ニードルの前記斜面は、前記円錐形の逃げに対して非対称の向きに配向されていることを特徴とする請求項２８に記載の血管アクセス装置。
【請求項３１】
前記上側部分は、テーパ領域を画定する内部湾曲部を有するカテーテルアダプタの先端開口部がないことを特徴とする請求項１に記載の血管アクセス装置。
【請求項３２】
カテーテル内での制限された流れを防止する装置であって、
遠位端部と、近位端部と、前記遠位端部から前記近位端部に延在する全長と、内部空洞と、上側部分と、下側部分と、撓曲部分を含んでいるカテーテルが貫通して延びるカテーテルアダプタの先端開口部を有する遠位先端部とを有するカテーテルアダプタを備え、
前記全長は、前記上側部分および前記下側部分において実質的に等しく、
アダプタの前記下側部分は、前記カテーテルの前記撓曲部分を所望の患者への挿入角度で支持し、且つ前記カテーテルのキンクを防止するべく湾曲面を有し、
前記カテーテルに接触する前記アダプタの前記上側部分は、前記カテーテルの患者への挿入中に前記カテーテルの剛性を維持するべく実質的に真っ直ぐな表面および一定の厚さを有していることを特徴とする装置。
【請求項３３】
前記カテーテルアダプタの先端開口部の前記上側部分は、断面において、０°から２７０°の範囲の角度を形成する半円弧を画定していることを特徴とする請求項３２に記載の装置。  
【請求項３４】
前記カテーテルアダプタの先端開口の前記下側部分は、断面において、部分的な楕円を画定していることを特徴とする請求項３３に記載の装置。
【請求項３５】
前記カテーテルアダプタの先端開口部の前記下側部分は、０°から２７０°の範囲の角度を形成していることを特徴とする請求項３４に記載の装置。
【発明の詳細な説明】
【技術分野】
【０００１】
本開示の態様は、管状カテーテルがカテーテルアダプタから患者の静脈に移行する際に管状カテーテルを支持し、且つカテーテルのキンク（捩れや捻れ）および閉塞を防止するべく、内部湾曲部を有するカテーテルアダプタの先端開口部を有するアダプタ、ならびにカテーテルアダプタを含んでいる血管アクセス装置に関する。
【背景技術】
【０００２】
カテーテルを使用して体内に流体を投与し、および流体を体外へ排出する注入療法は、医療処置において長年行われてきた標準的な施術である。病院、在宅ケア、および他の患者を含む、様々な状況での患者は、患者の血管系に挿入される血管アクセス装置を介して、体液、医薬品および血液製剤を受け入れている。種々のタイプおよび大きさのカテーテルが、これらに限定されないが、感染の治療、麻酔または鎮痛剤の提供、栄養補助剤の提供、癌性の成長の治療、血圧および心臓のリズムの維持、および他の臨床的に重要な用途を含む様々な手順で、医師によって広く使用されている。しかしながら、カテーテルの閉塞は、医療処置および処理において、カテーテルを使用するときに経験する頻繁な合併症である。カテーテルのキンク（捩れ）は、流体容量の配送速度の低下をもたらし、そして多くの場合、流体の停滞および流体の損失を伴うカテーテル壁の破裂を引き起こす。
【０００３】
静脈内治療は、患者の血管系の外側に配置される血管アクセス装置（血管外装置）によって促進される。患者の末梢血管または中心血管系に直接または間接的に、アクセスすることができる血管外装置の例は、本出願人（Ｂｅｃｔｏｎ、Ｄｉｃｋｉｎｓｏｎ  ａｎｄ  Ｃｏｍｐａｎｙ）のＢＤ  Ｑ−ＳＹＴＥ（登録商標）閉ループアクセス装置などの閉鎖型アクセス装置、シリンジ、分割隔壁装置、カテーテル、および静脈内（ＩＶ）流体チャンバを含んでいる。血管装置は、短期（日）、中期（数週間）、または長期（数月から数年）の間、留置し続けてもよい。血管アクセス装置は、連続的な注入療法または間欠的な治療のために使用されてもよい。
【０００４】
一般的な血管アクセス装置は、患者の静脈に挿入されるプラスチック製のカテーテルである。カテーテルの長さは、末梢アクセス用の２、３センチメートルから中心アクセス用の数センチメートルまで変化し得る。カテーテルは、カテーテルの使い易さ、アクセス可能性および有用性を助けるために、通常、カテーテルアダプタに組み込まれている。カテーテルアダプタは、一般に、カテーテルの一端部がカテーテルアダプタによって支持され、そして、カテーテルの本体および先端部がカテーテルアダプタの第１の端部を越えて延びるように、カテーテルの一端部を収容するべく適合されている剛性のプラスチック製の管状部材である。カテーテルアダプタは、一般に、カテーテルとともに使用するための追加の注入構成要素を受け入れるべく適合されている第２の端部をさらに含んでいる。例えば、カテーテルアダプタの第２の端部は、取り付けられたカテーテルを介して患者の血管構造へのアクセスを提供するべく、静脈ラインを取り付けるための、またはシリンジをカテーテルアダプタに連結するための一組のねじ山を含むことができる。
【０００５】
カテーテルは、経皮的に挿入されてもよい。経皮的に挿入されるとき、カテーテルの挿入は、通常、導入ニードルによって補助される。導入ニードルは、通常、ニードルのゲージがカテーテルの内径に近似するように、カテーテルの管腔内に収容されている。ニードルは、ニードルが患者の静脈を貫通し、そして、カテーテル挿入用の開口部をもたらすべく用いられ、ニードルの先端部がカテーテルの先端を越えて延在するように、カテーテル内に配置されている。
【０００６】
患者への挿入中、ニードルとカテーテルは、一般に、約３０°の角度で患者の静脈に接近し、そして、ニードルは最初に患者の表皮を穿刺し、次いで静脈内に継続する。ニードルとカテーテルの先端部が患者の静脈内に入ると、ニードルとカテーテルが患者の静脈とほぼ平行な位置にもたらされるように、ニードルとカテーテルが再配置され、その結果、ニードルとカテーテルが患者の静脈の内腔に挿入され得る。カテーテルが患者の静脈内に適切に配置されたとき、ニードルはカテーテルの内腔から除去され、そして、カテーテルアダプタは、カテーテルの早期除去を防止するべく、患者に固定される。
【０００７】
典型的には、カテーテルアダプタは、テープおよび／または他の適切な固定装置および／または固定用包帯を介して、カテーテルアダプタを患者の皮膚に固定することによって、患者に固定される。カテーテルアダプタを患者の皮膚に固定するとき、カテーテルアダプタを直に出ているカテーテルの根元領域は、カテーテルアダプタの固定された概ね平行な向きからカテーテルの挿入角度へのカテーテルの移行に対応するように、約３０°の角度のアーチ状にならねばならない。
【０００８】
一般的な実務では、カテーテルの過渡的なアーチ状を可能にするべく、カテーテルの延長部が患者とカテーテルアダプタとの間に残されるように、カテーテルを患者に挿入されることを提供している。この露出された、アーチ状に変形可能なカテーテルの長さが、カテーテルを患者の皮膚に向けて付勢し、かくて、
カテーテルの根元部分は、てこ作用の力を経験する。というのも、カテーテルはてことして働き、カテーテルアダプタの第１の端部が支点として働き、カテーテルの根元領域に、上方への力を及ぼすからである。カテーテルアダプタの第１の端部のこの上方への力は、より硬いカテーテルアダプタに対して、カテーテルの根元領域の閉塞の可能性のために望ましくない。閉塞は、典型的には、カテーテルアダプタの固定位置に対する挿入角度を増加させて、患者および／またはカテーテルが動かされるときに起こる。例えば、カテーテルおよび／または患者の再配置が、カテーテルの患者へのさらなる挿入を生じさせると、患者とカテーテルアダプタとの間のカテーテルの変形可能な長さが減少し、挿入角度およびカテーテルの根元領域に固定されたカテーテルアダプタの上方への力を増加させる。挿入角度が増加するにつれて、カテーテルアダプタの上向きの力もまた、カテーテルの壁の構造的剛性が克服されるまで、増加し、カテーテルのキンクを生じさせる。
【０００９】
カテーテルの閉塞は望ましくない。というのも、閉塞は、カテーテルを通る流れを遅くしたり停止させたりして、注入システムの機能不全および／または損傷を引き起こす可能性のある、望ましくない背圧を生成させるからである。さらに、閉塞は、注入システムの効率を低下させ、患者への治療または診断処置に悪影響を及ぼし得る。さらに、露出したアーチ状のカテーテル部分は汚染され、患者に健康上の危険をもたらす可能性がある。例えば、カテーテルの露出された部分が汚染され、その後、患者および／または臨床医による通常の使用のために、患者および／またはカテーテルが再調整されるとき、患者に挿入される可能性がある。汚染の可能性および患者へのその後の曝露を減少させるために、臨床医は、最初にカテーテルを患者に過剰に挿入することによって、露出されるカテーテルの長さを最小化しようとする。露出されるカテーテルの長さを短縮することによって、カテーテルアダプタの第１の端部の上向きの力が増加され、カテーテルの根元領域内での閉塞の可能性を増大させている。
【００１０】
カテーテルおよび／または患者の汚染は、明白な理由のために望ましくない。最も明らかことは、汚染が、二次感染および／または治療する医師に予期せぬ合併症を引き起こす可能性があることである。さらに、汚染されたカテーテルは、患者がさらに必要な治療を受けることができないような、患者の一次療法と矛盾する可能性のあるウイルスおよび／または細菌を患者に導入するかもしれない。
【発明の概要】
【発明が解決しようとする課題】
【００１１】
したがって、カテーテルを支持することができるキンク耐性のカテーテルアダプタｔが、閉塞の可能性を低減し、最小の流体容量の配送速度を維持することができるので、望まれている。血管アクセス装置にキンク耐性のカテーテルを設けるべく様々な試みがなされてきたが、流体の供給中に曲げられたりしたとき、カテーテルのキンクへの感受性を低下させる血管アクセス装置を提供する必要性が依然として存在している。装置の寿命を通しての開通性および流体速度を維持する利点を提供しながら、患者の静脈への浸透の容易性を増加させる、キンク耐性のカテーテルアダプタを提供することもまた望ましい。また、カテーテルを支持するとき、カテーテルは急勾配の挿入後に皮膚に対して平らに固定されるので、皮下注射に有用であり得るより急勾配の挿入角度を可能にする血管アクセス装置に対する必要性も存している。
【課題を解決するための手段】
【００１２】
第１の実施形態は、撓曲部分を含んでいるカテーテル、および、遠位端部、近位端部、遠位端部から近位端部に延在する全長、内部空洞、上側部分、下側部分、およびカテーテルが貫通して延在する周囲を有する、カテーテルアダプタの先端開口部を有する遠位先端部を有するカテーテルアダプタを備える血管アクセス装置に関係している。テーパ領域は、カテーテルを通る流れを制限することなくカテーテルの挿入角度を提供するべく、カテーテルの撓曲部分を支持する。テーパ領域は、カテーテルに対して円錐形の逃げを提供する。全長は、上側部分および下側部分において実質的に等しく、そしてテーパ領域は全長よりも短い。
【００１３】
一実施形態では、カテーテルアダプタの先端開口部の下側部分の内部湾曲部が、面取り部を画定している。さらに別の実施形態では、カテーテルアダプタの先端開口部の下側部分の内部湾曲部は、丸味を帯びているか、または、トランペット形状である。
【００１４】
１つ以上の実施形態では、カテーテルアダプタの先端開口部の下側部分が、遠位先端部から遠ざかるにつれて徐々に減少する、遠位先端部における半径を画定している。１つ以上の実施形態では、カテーテルアダプタの先端開口部の上側部分は、遠位先端部から延びる内部湾曲部を含まない。
【００１５】
血管アクセス装置は、中心静脈カテーテル、末梢に挿入された中心カテーテル、末梢静脈カニューレ、動脈カテーテル、または中間線カテーテルであってもよい。  カテーテルの一部分は、カテーテルアダプタの内部空洞内に収容されている。カテーテルは、カテーテルアダプタに固定して取り付けられている。
【００１６】
一実施形態では、挿入角度は、約１°ないし約６０°の範囲内である。特定の実施形態では、挿入角度は、約１５ないし４５°である。
【００１７】
一実施形態では、上側部分の半径は、下側部分の半径に対して非対称である。  
別の実施形態では、カテーテルアダプタの上側部分は、カテーテルに対して接線方向に向けられている。
【００１８】
一実施形態では、アダプタの下側部分の内部湾曲部は、カテーテルアダプタの先端開口部の周囲の一部分にわたって延在し、９０°ないし３６０°の範囲の角度を形成する円弧を画定する。特定の実施形態では、角度が、１８０°ないし３６０°の範囲である。
【００１９】
血管アクセス装置は、内部空洞内に導入ニードルをさらに備え、ニードルは、遠位端部と、近位端部と、導入ニードルの近位端部に接続されたニードルハブとを有している。
【００２０】
血管アクセス装置は、カテーテルアダプタから延び、カテーテルアダプタの内部空洞と流体連通する延長チューブ、および、ルアーアクセス、血液制御隔壁、換気体および導入ニードルのノッチの少なくとも１つを、さらに備えている。
【００２１】
一実施形態では、血管アクセス装置は、カテーテルアダプタから半径方向外向きに延びるウィング要素を、さらに備えている。ウィング要素は、カテーテルアダプタの一方の側から延びる第１のウィング部材を備えている。さらに別の実施形態において、ウィング要素は、カテーテルアダプタの一方の側と反対側に延びる第２のウィング部材をさらに備えている。
【００２２】
一実施形態では、カテーテルアダプタの少なくとも一部分は、第１の材料から作られ、そして遠位先端部の少なくとも一部分は、第１の材料よりもより可撓性である第２の材料から作られている。さらに別の実施形態では、カテーテルアダプタの少なくとも大部分が第１の材料から作られ、そして遠位先端部の少なくとも一部分が第１の材料よりもより可撓性である第２の材料から作られている。１つ以上の実施形態では、遠位先端部は、カテーテルのための支持部を提供するべく、カテーテルアダプタの先端開口部から延在する可撓性でキンク耐性の延長部を含んでいる。
【００２３】
一実施形態では、ニードルは、遠位先端部に斜面をさらに含み、ニードルの斜面は、円錐形の逃げに対して非対称の向きに配向されている。
【００２４】
１つ以上の実施形態において、上側部分は、テーパ領域を画定する内部湾曲部を有するカテーテルアダプタの先端開口部がない。
【００２５】
本開示の別の態様は、カテーテル内での制限された流れを防止するための装置に関する。一実施形態では、装置は、遠位端部と、近位端部と、遠位端部から近位端部まで延びる全長と、内部空洞と、上側部分と、下側部分と、撓曲部分を含んでいるカテーテルが貫通して延びるカテーテルアダプタの先端開口部を有する遠位先端部とを有するカテーテルアダプタを備えている。全長は、上側部分および下側部分において実質的に等しい。アダプタの下側部分は、カテーテルの撓曲部分を患者への所望の挿入角度で支持し、且つカテーテルのキンクを防止するべく湾曲面を有している。１つ以上の実施形態では、カテーテルに接触するアダプタの上側部分は、カテーテルの患者への挿入中にカテーテルの剛性を維持するべく実質的に真っ直ぐな表面および一定の厚さを有している。
【００２６】
１つ以上の実施形態では、カテーテルアダプタの先端開口部の上側部分は、断面において、０°から２７０°の範囲の角度を形成する半円弧を画定し、そして、カテーテルアダプタの先端開口部の下側部分は、断面において、部分的な楕円を画定している。１つ以上の実施形態では、カテーテルアダプタの先端開口部の下側部分は、０°から２７０°の範囲の角度を形成している。
【図面の簡単な説明】
【００２７】
【図１】図１は、第１の実施形態によるカテーテルアダプタの斜視図である。
【図２】図２は、血管アクセス装置の一実施形態の部分断面図であり、装置のカテーテルが患者に挿入されている。
【図３】図３は、面取りされた開口部を含んでいるカテーテルアダプタの断面図である。
【図４】図４は、血管アクセス装置の一実施形態の部分断面図であり、装置のカテーテルが患者に挿入され、そしてカテーテルアダプタ先端部が下側部分に輪郭を描かれている。
【図５】図５は、面取りされた開口部を含んでいるカテーテルアダプタの部分断面図である。
【図６Ａ】図６Ａは、一実施形態によるカテーテルアダプタ先端部の断面輪郭を示す図である。
【図６Ｂ】図６Ｂは、一実施形態によるカテーテルアダプタ先端部の断面輪郭を示す図である。
【図６Ｃ】図６Ｃは、一実施形態によるカテーテルアダプタ先端部の断面輪郭を示す図である。
【図７】図７は、一実施形態によるカテーテルアダプタを含んでいる血管アクセス装置の１つ以上の実施形態の斜視図である。
【発明を実施するための形態】
【００２８】
本開示のいくつかの例示的な実施形態を説明する前に、提供される説明は、以下の説明に記載される構成またはプロセスステップの詳細に限定されないことを理解されたい。本明細書で説明される装置は、他の実施形態が可能であり、様々な方法で実施されるか、実行されることが可能である。
【００２９】
この開示では、装置の遠位端部が患者に最も近い端部であり、装置の近位端部が患者から遠くに離れて施術者に最も近い端部であるという慣例に従う。
【００３０】
本開示は、様々な血管アクセス装置を提供するためのニードルを含んでいるニードルハブアセンブリのような他の構成要素と組み合わせて使用され得る、カテーテルアダプタの様々な実施形態を記載する。１つ以上の実施形態による血管アクセス装置には、中心静脈カテーテル、末梢に挿入される中心カテーテル、末梢静脈カニューレ、動脈カテーテル、および中間線カテーテルが含まれるが、これらに限定されない。
【００３１】
図面を参照するに、いくつかの図を通して、同様の参照符号は同様の部分を示している。図１〜６は、カテーテルアダプタ２０を示し、そして図７は、本開示の１つ以上の実施形態によるカテーテルアダプタを利用する血管アクセス装置１０の非限定的な例を図示している。
【００３２】
図１〜図５に示されるように、図７に関して以下にさらに説明されるハブアセンブリと組み立てられ得るカテーテルアダプタ２０は、近位端部１４、遠位端部１６および撓曲部分２１を有するカテーテル１２を含んでおり、カテーテルアダプタ２０は、遠位端部２２および近位端部２４、内部空洞２６、上側部分２８、下側部分３０、およびカテーテル１２が貫通する周囲を有するカテーテルアダプタの先端開口部３４を有するアダプタの先端部３２を有している。図２および図３に示されるように、カテーテルアダプタ２０は、カテーテル１２の近位端部１４に接続されている。カテーテルアダプタ２０は、アダプタの先端部３２からカテーテルアダプタの長さ「Ｌ」を画定する近位端部２４まで延在している。導入ニードル３６は、カテーテル１２を通して延在している。ニードルハブ４０は、導入ニードル３６の近位端部３８に接続されている。
【００３３】
図２〜図５に示されるように、カテーテルアダプタの全長Ｌは、上側部分および下側部分で実質的に等しく、そして、カテーテルアダプタの先端開口部３４は、カテーテルアダプタの上側部分ではなくカテーテルアダプタの下側部分の表面３５に、テーパ領域を画定する内部湾曲部を有し、表面３５におけるテーパ領域は、全体の長さよりも短く、カテーテルを通る流れを制限することなく、カテーテルの挿入角度を提供するべく、カテーテルの撓曲部分を支持する。カテーテルアダプタの先端開口部３４の下側部分の表面３５における内部湾曲部は、面取りを画定している。
【００３４】
図３に最もよく示されているように、カテーテルアダプタの先端開口部３４の下側部分は、遠位先端部において、遠位先端部から近位方向に遠ざかるにつれて徐々に減少するに半径「Ｒ」を画定している。言い換えれば、カテーテルアダプタの先端開口部３４の下側部分は表面３５を有するので、半径Ｒは、先端から近位方向に離れた距離の位置で測定される半径よりも、先端の最も遠位の部分においてより大きい。したがって、半径Ｒは、開口部の半径が近位方向にアダプタの先端部３２からさらに離れた位置で測定されるにつれて、連続的に減少する。１つ以上の実施形態では、カテーテルアダプタの先端開口部３４の上側部分は、遠位先端部から延びる内部湾曲部を含んでいない。上側部分の半径は、下側部分の半径に対して非対称であってもよい。１つ以上の実施形態において、カテーテルアダプタの上側部分は、カテーテルに対して接線方向に向けられている。
【００３５】
図３〜５に示されるように、１つ以上の実施形態において、カテーテルアダプタの先端開口部３４の下側部分の表面３５における内部湾曲部は、面取り部を画定している。さらに別の実施形態では、カテーテルアダプタの先端開口部３４の下側部分の表面３５における内部湾曲部は、丸味を帯びた形状またはトランペット形状である。１つ以上の実施形態では、アダプタの下側部分の表面３５における内部湾曲部は、カテーテルアダプタの先端開口部３４の周囲の一部分にわたって延び、９０°ないし２７０°の範囲の角度を形成する円弧を画定している。特定の実施形態では、角度は１８０°ないし２７０°の範囲である。
【００３６】
１つ以上の実施形態では、カテーテルアダプタ２０は、カテーテル１２内の制限された流れを防止する装置の一部であってもよい。装置は、上述されたように、遠位端部２２と、近位端部２４と、遠位端部から近位端部まで延在する全長Ｌと、内部空洞２６と、上側部分２８と、下側部分３０と、撓曲部分２１を含んでいるカテーテルが貫通して延在するカテーテルアダプタの先端開口部３４を有する遠位先端部３２と、を有するカテーテルアダプタ２０を含んでいる。ここで、全長は、上側部分および下側部分において実質的に等しく、アダプタの下側部分は、カテーテルの撓曲部分を患者への所望の挿入角度で支持し、且つカテーテルのキンクを防止するべく湾曲表面を有しており、アダプタの上側部分は、患者の体内へのカテーテルの挿入中にカテーテルの剛性を維持するべく、実質的に真っ直ぐな表面および一定の厚さを有するカテーテル１２と接触している。１つ以上の実施形態においては、カテーテルアダプタの先端開口部３４の上側部分は、９０°から１８０°の範囲の角度を形成する半円弧を、断面において画定している。１つ以上の実施形態では、カテーテルアダプタの先端開口部３４の下側部分は、部分的な楕円を、断面において画定している。
【００３７】
カテーテル１２は、一般に、長さを有する均一な厚さのシャフトを備えている管状で可撓性である。カテーテル１２は、内腔４４をさらに含んでいる。内腔４４の直径は変化してもよく、静脈内流体源からの所望の流速および／または圧力に適応するように選択される。カテーテル１２は、１４ないし２６ゲージであってもよい。
【００３８】
図２および図４に示されるように、カテーテル１２は、撓曲部分２１をさらに含んでいる。撓曲部分２１は、カテーテルアダプタの先端開口部の第１の端部と患者５２のカテーテル挿入部位５１との間にカテーテルの非挿入部分として画定されている。長さは、カテーテル１２の撓曲部分２１とカテーテルの先端部３１との間の距離によって画定される。カテーテルアダプタ２０の第１の端部に近接する撓曲部分２１が閉塞しやすい。これは、カテーテル１２がカテーテルアダプタのほぼ水平な平面に対して独立して移動されたときに、カテーテルアダプタの第１の端部が、撓曲部分２１に上向きの力を及ぼすからである。非挿入カテーテルの長さ、したがって最大挿入点は、カテーテルの十分な長さが挿入されないままであるように選択される。このことは、カテーテルの撓曲部分が、カテーテルアダプタから挿入部位への移行の際に緩やかに曲がるのを許容し、それにより、カテーテルの過剰挿入による閉塞を防止している。
【００３９】
１つ以上の実施形態において、カテーテル１２は、機械的静脈炎および浸潤を減少させるように設計された生体適合材料から作製され得る。１つ以上の実施形態では、カテーテル１２はポリウレタンから製造されてもよい。特定の実施形態では、生体適合材料は、血管抵抗性を提供し、カテーテルの留置時間を改善しながら、患者の快適性を増大させるために、血管静脈または動脈において７０％まで軟化するポリウレタンであってもよい。
【００４０】
カテーテル１２はさらに、カテーテルの先端部３１を含んでいる。カテーテルの先端部３１は、導入ニードル３６のためのクリアランスを提供するべく選択されたカテーテル開口部４６を含んでいる。導入ニードル３６は、カテーテルアダプタのカテーテルを通って、同軸に延在している。カテーテル開口部４６の直径は、導入ニードル３６の外面とカテーテル開口部４６の内面との間の最小公差を提供するべく選択される。このように、カテーテルの先端部３１は、患者の静脈６４内への十分な大きさのアクセス経路を提供することができる。導入ニードル３６は、遠位先端部に斜面（ベベル（ｂｅｖｅｌ））をさらに含んでいてもよい。ニードルのベベルは、カテーテルアダプタの先端開口部３４の下側部分の表面３５における、円錐形の逃げ又は内部の湾曲部に関して、非対称の向きに配向されてもよい。
【００４１】
１つ以上の実施形態では、アダプタの先端部３２の下側部分が、カテーテルが貫通する周囲を有する遠位開口部を有する先端部を含み、遠位開口部を出るカテーテルが、カテーテルアダプタの先端開口部３４の下側部分の表面３５における内部湾曲部によって、柔軟に支持される。図３〜図５は、一体成型された先端部カテーテル移行キンク耐性機構の支持領域を示している。カテーテルアダプタの先端開口部３４は、上側部分ではなく、下側部分にテーパ領域を画定している内部湾曲部を有する表面３５を含み、テーパ領域は、カテーテルを通る流れを制限せずに、カテーテルのための挿入角度を提供するべく、カテーテルの撓曲部分を支持する。テーパ領域は全長よりも短い。カテーテルの挿入後、テーパ領域は、カテーテルを通る流れを制限することなく、カテーテルのための挿入角度での過渡的な支持部を提供する。カテーテルアダプタの先端開口部３４は、急勾配のまたは緩やかな挿入角度を含むことができる。図４は、一体成型された先端部のカテーテル移行キンク耐性機構の支持領域を示している。下側部分においてテーパ領域を画定している内部湾曲部は、カテーテルアダプタ２０を出る際に現行のカテーテルが経験している方向における支持されない急激な変化を排除し、それによって、カテーテル１２の局所的な応力を最小限に抑え、その結果、カテーテルを潰し且つ捻ることおよび流体流を閉塞する機会を最少にしている。
【００４２】
もう１つの実施形態では、カテーテルアダプタの全長Ｌは、上側部分および下側部分で実質的に等しく、カテーテルアダプタの先端開口部３４は、テーパ領域を画定する内部湾曲部を有し、カテーテルアダプタの先端開口部３４の下側部分の内部湾曲部は、面取り部を画定している。
【００４３】
１つ以上の実施形態では、カテーテルアダプタ２０は概して管状である。カテーテルの一部分は、カテーテルアダプタの内部空洞内に収容されている。カテーテル１２は、業界標準の方法を用いてカテーテルアダプタ２０に組み込まれる。カテーテルアダプタ２０はさらに、近位端部２４と遠位端部２２との間に延在する本体４８を含んでいる。１つ以上の実施形態では、カテーテルは、流体密封方式でカテーテルアダプタに固定して取り付けられている。このように、静脈内流体源からの流体は、中断されることなく、内腔４４を通ってカテーテル１２内に流れることができる。カテーテルアダプタの遠位端部２２は、概してテーパ状であり、カテーテル１２が貫通して延在するカテーテルアダプタの先端開口部３４を含んでいる。近位端部２４は、概して、カテーテルの内腔４４へのアクセスのためのアクセスポート５４を含んでいる。アクセスポート５４は、流体および薬物の投与のための複数の選択肢を提供する二重アクセスポートであってもよい。
【００４４】
カテーテルアダプタの追加の特徴は、カテーテルアダプタから延び、且つカテーテルアダプタと流体連通する横方向のアクセスポート５６を含むことができる。延長チューブ６０が、制御されたフラッシュバックを可能にするべく、横方向のアクセスポート５６に取り付けられてもよい。横方向のアクセスポート５６は、静脈内流体源とカテーテルアダプタの内部空洞２６またはカテーテルの内腔４４との間の流体連通を確立させるために、延長チューブ６０のある区分に接続されてもよい。
【００４５】
１つ以上の実施形態では、延長チューブ６０が、アダプタの内部空洞との流体連通を確立するべく、カテーテルアダプタの横方向のアクセスポートまたは近位端部から延在している。延長チューブは、カテーテルアダプタの本体と一列に又は並列に延在していてもよい。延長チューブは、挿入部位での操作を排除することによって、汚染および機械的静脈炎を減少させるべく、組み込まれてもよい。延長チューブは、高圧注入に適合していてもよい。延長チューブは、カテーテルを患者の静脈内に前進させる間に、血管へのアクセスの確認を連続的に提供する。
【００４６】
カテーテルアダプタ２０はまた、カテーテル１２を患者に挿入するための導入ニードル３６を収容するように構成されてもよい。１つ以上の実施形態では、導入ニードル３６は、第１の穿刺の成功を改善するために、挿入点における血管への進入の即座の確認を提供するべく、ノッチ５８を含んでいる。
【００４７】
図１および図７に示されるように、カテーテルアダプタ２０の１つ以上の実施形態は、ウィング要素６２を含んでいてもよい。ウィング要素６２は、カテーテルアダプタ２０に取り付けられ、カテーテルアダプタ２０から半径方向外側に延在している。
【００４８】
１つ以上の実施形態において、ウィング要素６２は、カテーテルアダプタ２０の一方の側から延びる第１のウィング部材６８を含んでいる。さらに別の実施形態では、ウィング要素は、カテーテルアダプタ２０の一方の側から第１の方向に延びる第１のウィング部材６８と、第１の方向とは反対の方向に延びる第２のウィング部材７０とを含んでいる。１つ以上の実施形態では、第１のウィング部材６８および第２のウィング部材７０は一体成形されている。しかしながら、第１のウィング部材６８と第２のウィング部材７０とは、一体的に成形される必要はなく、これらの構成要素の各々が、同じ材料または異なる材料から別々に成形されてもよい。さらに、第１のウィング部材６８および第２のウィング部材７０は、ウィング要素６２を形成するために、連続した部品片として示されているが、第１のウィング部材６８および第２のウィング部材７０は別々の部品片であってもよい。加えて、１つ以上の実施形態によれば、ウィング要素は、第１のウィング部材６８または第２のウィング部材７０のいずれかの、単一のウィング部材からなることができる。第１のウィング部材６８および第２のウィング部材７０は、カテーテルの安定性を高め、したがって留置時間を増加させる。
【００４９】
１つ以上の実施形態では、カテーテルアダプタ２０の少なくとも一部分が第１の材料から作られ、アダプタの先端部３２の少なくとも一部分は、第１の材料よりもより可撓性のある第２の材料から作製される。特定の実施形態では、カテーテルアダプタ２０の少なくとも大部分が第１の材料から作られ、アダプタの先端部３２の少なくとも一部分は、第１の材料よりもより可撓性のある第２の材料から作製されている。本明細書で使用される「大部分」は、ウィング要素を除いて、カテーテルアダプタの体積の５０％を超えることを意味する。第１の材料の量を決定するために、第１の材料の全体積が決定され、ウィング要素を除く第２の材料の全体積が決定され、そして、カテーテルアダプタの全体積が、第１の材料の体積とウィング要素を除いた第２の材料の体積とを加えて決定される。第１の材料のパーセントは、第１の材料の体積をカテーテルアダプタの総体積で割って除算することによって決定される。
【００５０】
１つ以上の実施形態では、ウィング要素およびカテーテルを除くカテーテルアダプタは、ポリエステル、コポリエステル、ポリカーボネート、ポリエチレン、ポリスチレンまたはポリプロピレンの１つまたは複数から選択される硬質ポリマー材料から作製することができる。１つ以上の実施形態では、第１のウィング部材６８および第２のウィング部材７０が、熱可塑性エラストマー（ＴＰＥ）、熱可塑性ポリウレタン（ＴＰＵ）、熱可塑性加硫ゴムエラストマー（ＴＰＶ）、オレフィンブロックコポリマー（ＯＢＣ）、ポリイソプレン、またはシリコーンの１つ以上から選択される柔軟で可撓性のポリマー材料から作製されてもよい。１つ以上の実施形態において、第２の材料は、３０ショアＡないし９０ショアＤの範囲のデュロメータ値を有し、好ましい範囲は、５０ないし９０ショアＡである。デュロメータ硬度は、試験方法ＡＳＴＭ  Ｄ２２４０のもとで測定することができる。
【００５１】
ここで図２を参照するに、カテーテルアダプタ２０がほぼ水平の向きで示されている。使用時には、カテーテルアダプタ２０は患者に固定され、そしてカテーテルの先端部３１が患者の血管系に挿入されている。カテーテル１２は、所定の挿入角度５３で患者の血管系内に配置され、挿入されている。挿入角度５３は、カテーテルのチューブがカテーテルアダプタの内径（ＩＤ）の底部湾曲面に対して下方に付勢されているとき、アダプタのカテーテルアダプタ先端開口部３４におけるカテーテルの出口角度によって画定される。挿入角度５３は、カテーテルを患者の血管系に導入するのに必要な任意の角度を含むことができる。例えば、挿入角度５３は、１°ないし６０°の範囲内で選択されてもよく、好ましい挿入角度の範囲は、１５°ないし４５°である。
【００５２】
カテーテル１２の挿入に続いて、カテーテルの撓曲部分２１が、カテーテルアダプタ２０からカテーテル挿入部位５１へのカテーテル１２の移行に対応するべく、概してアーチ形状に曲げられる。この特徴部はまた、急勾配な挿入後に、皮膚に対して平らに固定されるので、カテーテルを支持するような皮下注射に対して有用である、急勾配の挿入角度を可能にする。
【００５３】
カテーテルを挿入部位に挿入すると、カテーテルはより高いてこ力を経験する。このように、カテーテルはてことして機能し、カテーテルアダプタの剛性の第１の端部が、カテーテルに上向きの力を及ぼす支点として作用する。カテーテルが挿入部位にさらに挿入されると、カテーテルの上向きの力は、カテーテルの捩れおよび閉塞を防止するべく、カテーテルの下側部分にテーパ領域を画定する、カテーテルアダプタの先端開口部３４の内部湾曲部によって消散され、したがって、装置の寿命を通して開通性および流速を維持する。これは、末梢静脈カテーテル（ＰＩＶＣ）、末梢に挿入される中心カテーテル（ＰＩＣＣ）または中心静脈カテーテル（ＣＶＣ）を含む留置の血管アクセス装置から血液を採取する場合に、特に有用である。
【００５４】
１つ以上の実施形態では、カテーテルアダプタの先端開口部は、カテーテルアダプタの遠位端部とカテーテルの撓曲部分との間の公差が増加されるように、面取りされている。したがって、カテーテルがカテーテルアダプタの先端開口部に接触する前に、カテーテルの撓曲部分がより急激に曲がることができ、その結果、閉塞に至る。一実施形態では、カテーテルアダプタの先端開口部は、ほぼ水平面に対し９０°未満の角度で面取りされている。面取りされた開口部は、先端開口部とカテーテルとの遅れた接触のせいで閉塞が生じる前に、より長い長さのカテーテルが挿入されることを可能にする。したがって、カテーテルの撓曲部分が患者にさらに挿入されるにつれ、撓曲部分は、先端開口部に接触して旋回する前により大きな程度にまで曲がるのが許容され、撓曲部分でのカテーテルの閉塞に至る。
【００５５】
表面３５における湾曲の程度は、挿入角度を所望の範囲内に維持する際に、カテーテルの撓曲部分を支持するべく選択される。この実施形態では、カテーテルの撓曲部分２１は、カテーテルアダプタの先端開口部３４の丸味を帯びた、湾曲した、または面取りされた下側部分の輪郭を覆い且つそれに沿って曲げられている。撓曲部分は、閉塞を回避し且つ最適な挿入度を維持するために、カテーテルに必要な湾曲度を維持する際に、カテーテルアダプタの先端開口部３４の下側部分によって支持される。丸味を帯びた、湾曲した、または面取りされた開口部は、カテーテルが、カテーテルの遠位端部の最小限の上向きの力で、患者に最大限に挿入されるように、カテーテルアダプタの遠位端部の支点機能をカテーテルの撓曲部分において最小にする。これにより、閉塞の可能性が最小限に抑えられる。撓曲部分は、穏やかなアーチを形成し、かくて、カテーテル１２の過剰挿入によるカテーテル１２の閉塞を防止することができる。挿入されていないカテーテルの長さ、したがって、最大挿入の点は、カテーテル１２の十分な長さが挿入されないまま残るように選択される。下側部分におけるカテーテルアダプタの先端開口部３４の内部湾曲部は、アダプタから患者の体内へのカテーテルの方向および角度変化のための構造的支持部を提供し、それにより、現行のカテーテルがカテーテルアダプタを出る際に経験する方向における急激な変化を排除している。したがって、下側部分におけるカテーテルアダプタの先端開口部３４の内部湾曲部は、局部的な応力および潰れおよび捩れの可能性を最小にしている。カテーテルの挿入後、テーパ領域は、カテーテルを通る流れを制限することなく、カテーテルの挿入角度での過渡的な支持部を提供する。このことは、カテーテルアダプタから挿入部位への移行の際に、カテーテル１２の撓曲部分が緩やかに曲がるのを許容し、それにより、カテーテルの閉塞を防止する。
【００５６】
カテーテルアダプタの先端開口部３４の内部湾曲部の形状および輪郭は、局部的な応力を低減し、そして、カテーテルの角度方向の変化に対する構造的支持部を提供するべく、個々の大きさのカテーテルごとに、所与の挿入深さｄに対して、最適化される。図５に示された上述の実施形態では、湾曲部が、カテーテルアダプタの内径の反対側の断面象限から延び、患者の方向に下方に移行している。カテーテルアダプタの先端開口部の上側部分２８は、湾曲しておらず、カテーテルの挿入プロセスの間、上向きの曲がり支持部を提供している。挿入ニードルの挿入および除去の際、下側部分におけるカテーテルアダプタの先端開口部３４の内部湾曲部は、ある角度で挿入されていたアダプタおよびカテーテルが、過度の局所的な応力および突然な方向的変化を伴わずに、患者の皮膚に対して平らに置かれるのを許容する。図５に示されるように、カテーテルアダプタの先端開口部３４の下側部分における内部湾曲部は、カテーテル（破線で示す）が急勾配の挿入角度の後に、患者に固定されるときの突然の角度変化の影響を減少させ、カテーテルアダプタの鼻部の出口でのカテーテルのキンクの危険性を低減させている。
【００５７】
１つ以上の実施形態によるカテーテルアダプタは、カテーテルアダプタの先端開口部３４において、様々な断面の遷移を提供することができる。断面の遷移は、カテーテルの曲がりの潜在的な方向に応じて、カテーテルに対して意図された湾曲支持部を提供するように変化されてもよい。１つ以上の実施形態によるこの断面の遷移の特徴は、注入手順の間の、カテーテルのチューブのキンクおよび装置を通る患者への流れのみならず、開通をチェックしている間に、患者から装置を通して血液を採取するための流れを制限する危険性を低減する。図６Ａ、図６Ｂおよび図６Ｃに示される例は、内径の底部分にのみ湾曲部が存在しているが、完全に丸い内径の湾曲部（例えば、トランペット形状）または任意の数の回転または軸方向に変化する遷移部を含む多くの他の代替が存する。図６Ａ、図６Ｂおよび図６Ｃは、カテーテルの先端部の断面輪郭の３つの非限定的な例を示しており、カテーテルの出口開口部におけるカテーテルアダプタの先端部の図である。図６Ａは、下側部分に面取りされた表面３５ａを有しているアダプタの第１の修正された先端開口部３４ａを示している。図６Ｂは、下側部分に湾曲された面３５ｂを有している第２の変形されたアダプタの先端開口部３４ｂを示している。図６Ｃは、下側部分に丸味を帯びた表面３５ｃを有している第３の変形されたアダプタの先端開口部３４ｃを示している。
【００５８】
１つ以上の実施形態において、カテーテルアダプタは、カテーテルのための支持部を提供するべく、カテーテルアダプタの先端開口部から延在する可撓性でキンク耐性の延長部を含んでいる。
【００５９】
図１ないし図６に関して説明されたカテーテルアダプタ２０は、図７に関して説明される血管アクセス装置の一部として使用することができる。
【００６０】
図７に示されるように、カテーテルアダプタ１８は、カテーテルアダプタ１８と流体連通する追加の構成要素を有する血管アクセス装置１０の一部であってもよい。図７に示されるように、横方向のアクセスポート５６は、静脈内流体源とカテーテルアダプタの内部空洞２６またはカテーテルの内腔４４との間の流体連通を確立するために、延長チューブ６０の区分に接続されてもよい。１つ以上の実施形態では、延長チューブ６０は、カテーテルアダプタの本体と一列にまたは並列に延びている。１つ以上の実施形態において、延長チューブ６０は、挿入部位での操作を排除することによって、汚染および機械的静脈炎を低減するために組み込まれている。１つ以上の実施形態では、延長チューブ６０は高圧注入に適合する。１つ以上の実施形態では、延長チューブ６０は、カテーテルを患者の静脈６４に前進させる間に、血管アクセスの連続的な確認を提供する。
【００６１】
１つ以上の実施形態では、ニードルハブアセンブリ５０が、ニードルをカテーテル１２の内腔４４に挿入することによってカテーテルアダプタと組み立てられる。ニードルハブアセンブリは、様々な挿入技術を容易にするために、ニードルハブアセンブリ５０の側面に配置された指グリップ８４を含んでいるものとして示されている。１つ以上の実施形態では、使用者がニードル除去のために装置を把持する場所を示すために、指グリップ上にバンプが存在してもよい。１つ以上の実施形態では、緩やかな凸面を有する親指パッド８５が、ニードルハブアセンブリ５０の近位端部に設けられている。緩やかな凸面を有するフランジ８６が、指パッドを提供するべく、ハブアセンブリの近位端部に設けられている。
【００６２】
第１のウィング部材６８、第２のウィング部材７０、親指パッド８５、およびフランジ８６が、挿入中に使用者によって利用され、使用者がどの挿入技法を使用するかを選択することを可能にしている。
【００６３】
１つ以上の実施形態では、ニードルハブアセンブリ５０は、ニードルシールド８０を含んでいる。ニードルシールドは、使用後に、ニードルの先端部をシールド内に固定するように構成された設計であってもよい。１つ以上の実施形態では、ニードルシールドは、ユーザ技術に妥協するのを順守するのを保証するべく受動的に作動されてもよい。ニードル先端部は、固定位置において、ニードルシールドによって完全に覆われている。１つ以上の実施形態では、フェルール、クリンプまたは他の構造体が、特定の用途において、ニードルシールドとの係合のために先端部近くに含まれてもよい。
【００６４】
挿入中のカテーテルの前進を容易にするべく、押しタブ８１が設けられてもよい。押しタブはまた、片手または両手での前進を可能にする。１つ以上の実施形態において、押しタブは、ニードルシールドによって除去される。クランプ８２もまた、アクセスポートを交換するときに血流を防止するべく、延長チューブに含められてもよい。
【００６５】
導入ニードルの近位端部は、導入ニードルの近位端部の周りに流体密封シールを提供するべくクリンプされてもよい。導入ニードルは、導入ニードルをハブに固定するために、接着され、または機械的インターロックが形成されてもよい。
【００６６】
１つ以上の実施形態では、血管アクセス装置１０は、延長チューブ６０と流体連通する第１のルアーアクセス７２および第２のルアーアクセス７３、第１のルアーアクセス７２に関連する血液制御の分割隔壁７４、および第２のルアーアクセス７３に関連する換気体７６をさらに含んでいる。分割隔壁７４は、無制限の流れおよび直線の流体経路を提供しながら、カテーテル関連の血流感染（ＣＲＢＳＩ）の減少を可能にし、且つ血液制御隔壁として機能する。１つ以上の実施形態では、分割隔壁７４は、カテーテルアダプタの内部空洞またはカテーテルアダプタの遠位端部に配置されてもよい。さらに別の実施形態では、分割隔壁７４は延長チューブ６０の遠位端部に配置されてもよい。換気体７６は、挿入中、空気がシステムから逃げることを可能にし、挿入中にシステムからの血液漏出を防止しながら、血管アクセスの連続的な確認をもたらす。１つ以上の実施形態では、換気体７６は、延長チューブ６０の遠位端部にあってもよい。
【００６７】
本明細書を通して、「一実施形態」、「特定の実施形態」、「１つ以上の実施形態」または「ある実施形態」という表現は、実施形態に関連して記載された特定の特徴、構造、材料または特性が、本開示の少なくとも１つの実施形態に含まれていることを意味する。したがって、本明細書の様々な箇所における「１つ以上の実施形態」、「特定の実施形態では」、「１つの実施形態では」、または「ある実施形態では」というような表現の出現は、必ずしも同じ実施形態の開示を意味しない。さらに、特定の特徴、構造、材料、または特性は、１つ以上の実施形態において任意の適切な方法で組み合わせることができる。
【００６８】
本明細書の開示は、特定の実施形態を参照して説明を与えたが、これらの実施形態は、本開示の原理および用途の単なる例示であることを理解されたい。本発明の精神および範囲から逸脱することなく、本発明の方法および装置に対して様々な変更および変形が可能であることは、当業者には明らかであろう。したがって、本発明は、添付の特許請求の範囲およびそれらの均等の範囲内にある変更および変形を含むことが意図されている。
【図１】
2018531761.tif 000003
【図２】
2018531761.tif 000004
【図３】
2018531761.tif 000005
【図４】
2018531761.tif 000006
【図５】
2018531761.tif 000007
【図６Ａ】
2018531761.tif 000008
【図６Ｂ】
2018531761.tif 000009
【図６Ｃ】
2018531761.tif 000010
【図７】
2018531761.tif 000011
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
撓曲部分を含んでいるカテーテル、および
遠位端部、近位端部、遠位端部から近位端部に延在する全長、内部空洞、上側部分、下側部分、および前記カテーテルが貫通して延在する周囲を有する、カテーテルアダプタの先端開口部を有する遠位先端部を有するカテーテルアダプタを備え、
前記全長は、前記上側部分および前記下側部分において実質的に等しく、且つ、前記カテーテルアダプタの先端開口部は、前記下側部分にテーパ領域を画定する内部湾曲部を有し、
前記テーパ領域は、前記カテーテルを通る流れを制限することなく前記カテーテルの挿入角度を提供するべく前記カテーテルの前記撓曲部分を支持し、
前記テーパ領域は、前記全長よりも短いことを特徴とする血管アクセス装置。
【請求項２】
前記カテーテルアダプタの先端開口部の前記下側部分の前記内部湾曲部は、面取り部を画定することを特徴とする請求項１に記載の血管アクセス装置。
【請求項３】
前記カテーテルアダプタの先端開口部の前記下側部分の前記内部湾曲部は、丸味を帯びているか、または、トランペット形状であることを特徴とする請求項１に記載の血管アクセス装置。
【請求項４】
前記カテーテルアダプタの先端開口部の前記下側部分は、前記遠位先端部から遠ざかるにつれて徐々に減少する前記遠位先端部における半径を画定することを特徴とする請求項１に記載の血管アクセス装置。
【請求項５】
前記カテーテルアダプタの先端開口部の前記上側部分は、前記遠位先端部から延びる内部湾曲部を含まないことを特徴とする請求項１に記載の血管アクセス装置。
【請求項６】
前記挿入角度は、約１°ないし約６０°の範囲内であることを特徴とする請求項１に記載の血管アクセス装置。
【請求項７】
前記上側部分の半径は、前記下側部分の半径に対して非対称であることを特徴とする請求項１に記載の血管アクセス装置。
【請求項８】
前記カテーテルアダプタの上側部分は、前記カテーテルに対して接線方向に向けられていることを特徴とする請求項１に記載の血管アクセス装置。
【請求項９】
前記アダプタの前記下側部分の内部湾曲部は、カテーテルアダプタの先端開口部の周囲の一部分にわたって延在し、９０°ないし３６０°の範囲の角度を形成する円弧を画定することを特徴とする請求項１に記載の血管アクセス装置。
【請求項１０】
前記内部空洞内に導入ニードルをさらに備え、前記ニードルは、遠位端部と、近位端部と、前記導入ニードルの前記近位端部に接続されたニードルハブとを有することを特徴とする請求項１に記載の血管アクセス装置。
【請求項１１】
前記カテーテルアダプタから延び、前記カテーテルアダプタの前記内部空洞と流体連通する延長チューブを、さらに備えることを特徴とする請求項１０に記載の血管アクセス装置。
【請求項１２】
前記カテーテルアダプタから半径方向外向きに延びるウィング要素を、さらに備えることを特徴とする請求項１に記載の血管アクセス装置。
【請求項１３】
前記カテーテルアダプタの少なくとも一部分は、第１の材料から作られ、そして前記遠位先端部の少なくとも一部分は、前記第１の材料よりもより可撓性である第２の材料から作られていることを特徴とする請求項１に記載の血管アクセス装置。
【請求項１４】
前記遠位先端部は、前記カテーテルのための支持部を提供するべく、前記カテーテルアダプタの先端開口部から延在する可撓性でキンク耐性の延長部を含んでいることを特徴とする請求項１に記載の血管アクセス装置。
【請求項１５】
前記テーパ領域は、前記カテーテルに対して円錐形の逃げを提供することを特徴とする請求項１１に記載の血管アクセス装置。
【請求項１６】
前記ニードルは、前記遠位先端部に斜面をさらに含み、前記ニードルの前記斜面は、前記円錐形の逃げに対して非対称の向きに配向されていることを特徴とする請求項１５に記載の血管アクセス装置。
【請求項１７】
前記上側部分は、テーパ領域を画定する内部湾曲部を有するカテーテルアダプタの先端開口部がないことを特徴とする請求項１に記載の血管アクセス装置。
【請求項１８】
カテーテル内での制限された流れを防止する装置であって、
遠位端部と、近位端部と、前記遠位端部から前記近位端部に延在する全長と、内部空洞と、上側部分と、下側部分と、撓曲部分を含んでいるカテーテルが貫通して延びるカテーテルアダプタの先端開口部を有する遠位先端部とを有するカテーテルアダプタを備え、
前記全長は、前記上側部分および前記下側部分において実質的に等しく、
アダプタの前記下側部分は、前記カテーテルの前記撓曲部分を所望の患者への挿入角度で支持し、且つ前記カテーテルのキンクを防止するべく湾曲面を有し、
前記カテーテルに接触する前記アダプタの前記上側部分は、前記カテーテルの患者への挿入中に前記カテーテルの剛性を維持するべく実質的に真っ直ぐな表面および一定の厚さを有していることを特徴とする装置。
【請求項１９】
前記カテーテルアダプタの先端開口部の前記上側部分は、断面において、０°から２７０°の範囲の角度を形成する半円弧を画定していることを特徴とする請求項１８に記載の装置。
【請求項２０】
前記カテーテルアダプタの先端開口の前記下側部分は、断面において、部分的な楕円を画定していることを特徴とする請求項１９に記載の装置。
【請求項２１】
前記カテーテルアダプタの先端開口部の前記下側部分は、０°から２７０°の範囲の角度を形成していることを特徴とする請求項２０に記載の装置。
【国際調査報告】
2018531761.tif 000012
2018531761.tif 000013